(57)【要約】【課題】可動式の風向板を用いて、洗濯物を更に短時間でムラなく乾燥させることができる乾燥機を提供する。【解決手段】ドラム２２に収容されている洗濯物Ｌ，Ｌ，…を乾燥させる場合、洗濯乾燥機１は、ドラム２２を回転させつつ、高温低湿の空気をドラム２２へ吹き入れる。ドラム２２へ吹き入れられる吹入空気の風向きは、吹入口３５に配されている風向板４４の傾斜角度に応じた風向きに規定され、風向板４４の傾斜角度が変更されると、吹入空気の風向きは変化する。風向板４４の傾斜角度は、制御部１０に制御された駆動部によって適宜に変更又は維持される。風向板４４の傾斜角度を連続的に変更させれば、ドラム２２に収容されている全ての洗濯物Ｌ，Ｌ，…を満遍なく乾燥させることができ、風向板４４の傾斜角度をドラム２２の底壁側に向けて維持すれば、乾燥し難い場所に位置する洗濯物Ｌ，Ｌ，…を集中的に乾燥させることができる。【選択図】図１
2011239990.tif 000002
【特許請求の範囲】
【請求項１】
洗濯物を収容する収容部と、
該収容部から空気を吸い出し、吸い出した空気を循環させて前記収容部へ吹き入れるための循環路と
を備え、前記収容部に収容されている洗濯物を乾燥させる乾燥機において、
前記収容部へ吹き入れられる空気の風向きを規定する風向板と、
該風向板の姿勢を変更する駆動部と
を備えることを特徴とする乾燥機。
【請求項２】
前記洗濯物の乾燥度に対応する物理量を直接的又は間接的に検出する検出手段と、
前記検出手段の検出結果に基づいて前記駆動部の動作を制御することによって、前記姿勢を変更又は維持させる制御部と
を更に備えることを特徴とする請求項１に記載の乾燥機。
【請求項３】
前記収容部は、横型のドラム又は斜め型のドラムを用いてなり、
前記制御部は、
前記風向きが前記ドラムの底壁側及び前記ドラムの軸端開口側に交互に向くように前記姿勢を連続的に変更させる第１の制御手段と、
前記風向きが前記ドラムの軸長方向中央部よりも前記底壁側に向くように前記姿勢を維持させる第２の制御手段と、
前記風向きが前記軸長方向中央部よりも前記軸端開口側に向くように前記姿勢を維持させる第３の制御手段と
を有し、
前記検出手段の検出結果に基づいて、前記第１〜前記第３の制御手段による前記駆動部の動作の制御を選択的に実行するようにしてあることを特徴とする請求項２に記載の乾燥機。
【請求項４】
前記風向板を複数枚備え、
前記第１の制御手段は、各風向板の姿勢が互いに異なるように各風向板の姿勢を変更させるようにしてあることを特徴とする請求項３に記載の乾燥機。
【請求項５】
前記循環路には、前記収容部へ空気を吹き入れるための複数個の吹入口が設けられており、
各吹入口に対応して前記風向板が配されていることを特徴とする請求項１から４の何れかひとつに記載の乾燥機。
【発明の詳細な説明】
【技術分野】
【０００１】
本発明は、洗濯物を乾燥させる乾燥機に関する。
【背景技術】
【０００２】
乾燥機は、洗濯物を収容するドラムと、ドラムから吸い出した空気を循環させてドラムへ吹き入れるための循環路とを備える。
循環路の中途には送風機が配されており、送風機が送風することによって、空気が循環する。
また、循環路の中途には、循環路を通過する空気を除湿する除湿器、及び／又は、循環路を通過する空気を加熱する加熱器等が配されており、除湿器及び／又は加熱器等の作用によって、循環路を通過する空気は低湿の空気になる。
【０００３】
ドラムに収容されている洗濯物（以下、単に洗濯物ともいう）を乾燥させる場合、乾燥機は、ドラムを回転させつつ、低湿の空気をドラムへ吹き入れ、また、洗濯物から蒸発した水分を吸収した高湿の空気をドラムから吸い出す。ドラムから吸い出された高湿の空気は、循環路を通過する間に低湿の空気になり、その後、再びドラムへ吹き入れられる。
以上のような乾燥の手順は、洗濯機能も有する乾燥機（即ち洗濯乾燥機）であっても同様である。
従来、循環路を通過した空気（以下、循環空気という）をドラムへ吹き入れるための吹入口が複数個設けられているドラム式洗濯乾燥機が提案されている（特許文献１，２参照）。
【０００４】
特許文献１に記載のドラム式洗濯乾燥機においては、まず、洗濯物を積極的に乾燥させるために、加熱された循環空気が、ドラムの開口側に設けられている吹入口を通してドラムへ吹き入れられる。次に、洗濯物を冷却しつつ更に乾燥させるために、加熱されていない循環空気が、ドラムの底壁側に設けられている吹入口を通してドラムへ吹き入れられる。
つまり、乾燥過程の進行に伴い、循環空気の吹入方向が切り替わる。従って、吹入方向の切り替えに伴い、異なる場所に位置する洗濯物に循環空気が接触する可能性が大きくなる。この結果、特許文献１に記載のドラム式洗濯乾燥機は、洗濯物を短時間でムラなく乾燥させることができる。
【０００５】
特許文献２に記載のドラム式洗濯乾燥機においては、循環空気が、ドラムの開口側に設けられている複数個の吹入口を通してドラムへ吹き入れられる。異なる吹入口から吹き入れられた循環空気は、異なる場所に位置する洗濯物に接触する可能性が大きい。このため、特許文献２に記載のドラム式洗濯乾燥機は、洗濯物を短時間でムラなく乾燥させることができる。
【先行技術文献】
【特許文献】
【０００６】
【特許文献１】特開２００８−２５９５４９号公報
【特許文献２】実開平４−１０８０８６号公報
【発明の概要】
【発明が解決しようとする課題】
【０００７】
しかしながら、吹入口が１個しか設けられていない乾燥機は、特許文献１，２に記載の記述事項を適用することができないため、洗濯物を短時間でムラなく乾燥させることができない。
また、特許文献１，２夫々に記載のドラム式洗濯乾燥機においては、吹入口を通してドラムへ吹き入れられた空気の風向きが一定である。このため、循環空気が洗濯物に接触する可能性を更に増大させることが困難である。従って、洗濯物が乾燥するまでの時間を更に短縮しようとすると、洗濯物の乾燥ムラが生じる虞がある。
【０００８】
本発明は斯かる事情に鑑みてなされたものであり、その主たる目的は、駆動部が、風向板の姿勢を変更する構成とすることにより、吹入口の個数の多寡に拘らず、洗濯物を更に短時間でムラなく乾燥させることができる乾燥機を提供することにある。
【課題を解決するための手段】
【０００９】
本発明に係る乾燥機は、洗濯物を収容する収容部と、該収容部から空気を吸い出し、吸い出した空気を循環させて前記収容部へ吹き入れるための循環路とを備え、前記収容部に収容されている洗濯物を乾燥させる乾燥機において、前記収容部へ吹き入れられる空気の風向きを規定する風向板と、該風向板の姿勢を変更する駆動部とを備えることを特徴とする。
【００１０】
本発明に係る乾燥機は、前記洗濯物の乾燥度に対応する物理量を直接的又は間接的に検出する検出手段と、前記検出手段の検出結果に基づいて前記駆動部の動作を制御することによって、前記姿勢を変更又は維持させる制御部とを更に備えることを特徴とする。
【００１１】
本発明に係る乾燥機は、前記収容部は、横型のドラム又は斜め型のドラムを用いてなり、前記制御部は、前記風向きが前記ドラムの底壁側及び前記ドラムの軸端開口側に交互に向くように前記姿勢を連続的に変更させる第１の制御手段と、前記風向きが前記ドラムの軸長方向中央部よりも前記底壁側に向くように前記姿勢を維持させる第２の制御手段と、前記風向きが前記軸長方向中央部よりも前記軸端開口側に向くように前記姿勢を維持させる第３の制御手段とを有し、前記検出手段の検出結果に基づいて、前記第１〜前記第３の制御手段による前記駆動部の動作の制御を選択的に実行するようにしてあることを特徴とする。
【００１２】
本発明に係る乾燥機は、前記風向板を複数枚備え、前記第１の制御手段は、各風向板の姿勢が互いに異なるように各風向板の姿勢を変更させるようにしてあることを特徴とする。
【００１３】
本発明に係る乾燥機は、前記循環路には、前記収容部へ空気を吹き入れるための複数個の吹入口が設けられており、各吹入口に対応して前記風向板が配されていることを特徴とする。
【００１４】
本発明にあっては、乾燥機が、収容部、循環路、風向板、及び駆動部を備える。
循環路を通って収容部へ吹き入れられた空気は、ドラムに収容されている洗濯物に接触する。このとき、洗濯物に含まれている水分が蒸発する。蒸発した水分は、空気と共に収容部から吸い出される。この結果、洗濯物が乾燥する。
収容部から吸い出された空気は、循環路を通過することによって循環し、再び収容部へ吹き入れられる。洗濯物の乾燥を促進するために、一般に、収容部から吸い出された空気は、除湿及び／又は加熱されてから、再び収容部へ吹き入れられる。
【００１５】
収容部へ吹き入れられる空気（以下、吹入空気という）の風向きは、風向板の姿勢に応じた風向きに規定される。風向板の姿勢は、駆動部によって変更される。駆動部が風向板の姿勢を変更することによって、吹入空気の風向きは変化する。
【００１６】
本発明にあっては、乾燥機が、検出手段及び制御部を更に備える。
検出手段の検出結果は、洗濯物の乾燥度に対応する物理量（たとえば、収容部内部の湿度、乾燥過程を開始してからの経過時間、吹入空気の温度と収容部から吸い出される空気の温度との差異、又は、洗濯物に含まれている水分の重量等）である。
ところで、吹入空気の風向きが一定である場合には、収容部へ吹き入れられた空気が直接的に吹き付けられる場所（以下、吹付場所という）に位置する洗濯物が、短時間で乾燥される。ただし、この吹付場所に位置していない洗濯物は乾燥し難いため、乾燥ムラが生じる虞がある。
【００１７】
一方、吹入空気の風向きが変化する場合には、風向きの変化と共に吹付場所も変化するため、乾燥ムラが生じ難い。ただし、所定の場所に位置する洗濯物を短時間で乾燥させることはできない。
そこで、制御部は、駆動部の動作を制御する。このとき、制御部が風向板の姿勢を変更させる場合には、吹入空気の風向きを変化させることができるため、乾燥ムラを防ぐことができる。一方、制御部が風向板の姿勢を維持させる場合には、吹入空気の風向きを一定にすることができるため、吹付場所に位置する洗濯物を短時間で乾燥させることができる。
【００１８】
制御部による駆動部の制御は、検出手段の検出結果に基づくものである。つまり、洗濯物の乾燥度に応じて、乾燥ムラを防ぐことが優先されるか、又は、吹付場所に位置する洗濯物を短時間で乾燥させることが優先される。従って、本発明の乾燥機は、洗濯物を短時間でムラなく乾燥させることができる。
【００１９】
本発明にあっては、制御部が、第１〜第３の制御手段を有する。
収容部は、横姿勢で支持される横型のドラムを用いてなるか、又は、横姿勢に対して傾斜する姿勢で支持される斜め型のドラムを用いてなる。
第１の制御手段は、吹入空気の風向きが、ドラムの底壁側及びドラムの軸端開口（以下、単に開口という）側に交互に向くように、風向板の姿勢を連続的に変更させる。この結果、本発明の乾燥機は、ドラムに収容されている全ての洗濯物を満遍なく乾燥させることができる。
【００２０】
第２の制御手段は、吹入空気の風向きが、ドラムの軸長方向中央部よりもドラムの底壁側に向くように、風向板の姿勢を維持させる。この結果、本発明の乾燥機は、ドラムの底壁近傍に位置する洗濯物を集中的に乾燥させることができる。
第３の制御手段は、吹入空気の風向きが、ドラムの軸長方向中央部よりもドラムの開口側に向くように、風向板の姿勢を維持させる。この結果、本発明の乾燥機は、ドラムの開口近傍に位置する洗濯物を集中的に乾燥させることができる。
【００２１】
ドラムの底壁側へ吹き入れられた空気は、ドラムの底壁近傍に位置する洗濯物に吹き付けられてから、ドラムの開口側へも拡散する。また、ドラムの開口側へ吹き入れられた空気は、ドラムの開口近傍に位置する洗濯物に吹き付けられてから、ドラムの底壁側へも拡散する。従って、吹付位置に位置していない洗濯物も、吹付位置に位置する洗濯物ほどではないが、徐々に乾燥させることができる。
第１〜第３の制御手段による制御は、検出手段の検出結果に基づいて、選択的に実行される。つまり、洗濯物の乾燥度に応じて、第１〜第３の制御手段による制御が適切に使い分けられる。従って、本発明の乾燥機は、ドラムの底壁近傍に位置する洗濯物であっても、ドラムの開口近傍に位置する洗濯物であっても、短時間でムラなく乾燥させることができる。
【００２２】
本発明にあっては、乾燥機が複数枚の風向板を備える。
第１の制御手段は、各風向板の姿勢が互いに異なるように各風向板の姿勢を変更させる。このため、各風向板によって風向きを規定された空気の吹付場所は、互いに異なる。この結果、風向板が１枚しかない場合、及び全ての風向板の姿勢が同一である場合よりも更に、ドラムに収容されている洗濯物をムラなく乾燥させることができる。
【００２３】
本発明にあっては、収容部へ空気を吹き入れるための複数個の吹入口が、循環路に設けられている。１枚又は複数枚の風向板は、吹入口毎に配されている。
このため、本発明の乾燥機は、循環路に吹入口が１個だけ設けられている場合よりも、洗濯物を短時間でムラなく乾燥させることができる。
【発明の効果】
【００２４】
本発明の乾燥機による場合、吹入空気の風向きを変化させることができる。このため、本発明の乾燥機は、収容部へ空気を吹き入れるための吹入口が１個であったとしても、吹入空気の風向きが変化しない従来の乾燥機に比べて、収容部へ吹き入れられた空気と洗濯物とが接触する可能性を増大させることができる。この結果、収容部に収容されている洗濯物を、より短時間でムラなく乾燥させることができる。つまり、洗濯物を効率よく乾燥させることができるため、本発明の乾燥機は、省エネルギに寄与することができる。
【図面の簡単な説明】
【００２５】
【図１】本発明の実施の形態に係る乾燥機として機能する洗濯乾燥機が洗濯物を乾燥させている状態を説明するための模式的な縦断面図である。
【図２】本発明の実施の形態に係る洗濯乾燥機の後壁を取り外した状態の内部構成を示す背面図である。
【図３】本発明の実施の形態に係る洗濯乾燥機に設けられている吹入口の配置を説明するための模式的な横断面図である。
【図４】本発明の実施の形態に係る洗濯乾燥機の制御系の構成を示すブロック図である。
【図５】本発明の実施の形態に係る洗濯乾燥機にて吹入空気の風向きが変化する場合を示す説明図である。
【図６】本発明の実施の形態に係る洗濯乾燥機にて吹入空気の風向きがドラムの底壁側向きで一定である場合を示す説明図である。
【図７】本発明の実施の形態に係る洗濯乾燥機にて吹入空気の風向きがドラムの開口側向きで一定である場合を示す説明図である。
【図８】本発明の実施の形態に係る洗濯乾燥機で実行される乾燥処理の手順を示すフローチャートである。
【図９】本発明の実施の形態に係る洗濯乾燥機で実行される乾燥初期駆動制御処理手順の詳細を示すフローチャートである。
【図１０】本発明の実施の形態に係る洗濯乾燥機で実行される乾燥初期終了判定処理手順の詳細を示すフローチャートである。
【図１１】本発明の実施の形態に係る洗濯乾燥機で実行される乾燥中期駆動制御処理手順の詳細を示すフローチャートである。
【図１２】本発明の実施の形態に係る洗濯乾燥機で実行される乾燥終期駆動制御処理手順の詳細を示すフローチャートである。
【発明を実施するための形態】
【００２６】
以下、本発明を、その実施の形態を示す図面に基づいて詳述する。
【００２７】
図１は、本発明の実施の形態に係る乾燥機として機能する洗濯乾燥機１が洗濯物Ｌ，Ｌ，…を乾燥させている状態を説明するための模式的な縦断面図である。図１は、洗濯乾燥機１の要部構成を模式的に示す縦断面図でもある。図１に示す白抜矢符は、空気の循環方向を表わしている。また、図１に示す矢符は、後述する図５に示す矢符に対応している。
図２は、洗濯乾燥機１の後壁６ｃを取り外した状態の内部構成を示す背面図である。
図３は、洗濯乾燥機１に設けられている吹入口３５の配置を説明するための模式的な横断面図である。
図４は、洗濯乾燥機１の制御系の構成を示すブロック図である。
【００２８】
洗濯乾燥機１は、いわゆる斜め型ドラム式洗濯乾燥機であり、洗濯過程と、図１に示す乾燥過程とを実施する。
洗濯過程において、洗濯物Ｌ，Ｌ，…は、水道水と洗剤とで洗われ、水道水で濯がれる。洗濯に用いられる水道水を、以下では、洗濯水ということもある。
乾燥過程において、洗濯物Ｌ，Ｌ，…は、高温低湿の空気又は低温低湿の空気が吹き付けられることによって、乾燥する。
以下、図１〜図４を参照しつつ、洗濯乾燥機１の構成について詳述する。
洗濯乾燥機１は筐体６を備える。
【００２９】
筐体６には、制御部１０、吹入温度検出部１１、吸出温度検出部１２、給水部５１、排水部５２、収容部２、循環路３、集塵フィルタ４０、送風機４１、加熱部４２、駆動部４３、及び風向板４４が内蔵されている。ただし、駆動部４３は、第１の駆動部４３１、第２の駆動部４３２、第３の駆動部４３３、及び第４の駆動部４３４の総称であり、風向板４４は、第１の風向板４４１、第２の風向板４４２、第３の風向板４４３、及び第４の風向板４４４の総称である。
【００３０】
筐体６の前壁６ｂには、洗濯物Ｌ，Ｌ，…を後述するドラム２２へ投入し、また、ドラム２２から洗濯物Ｌ，Ｌ，…を取り出すための投入口６１が形成されており、投入口６１は、外扉６０によって開閉自在に閉塞される。洗濯過程及び乾燥過程夫々の実行中には、投入口６１は外扉６０によって閉塞されている。
収容部２は、内扉２０と、各有底円筒状の水槽２１及びドラム２２と、ドラム回転機構２３とを有する。
【００３１】
水槽２１及びドラム２２は、夫々の開口側を投入口６１側に向け、夫々の底壁側を筐体６の後壁６ｃ側に向け、開口側が高く、底壁側が低い傾斜姿勢で、筐体６の中央部に配設されている。即ち、ドラム２２は斜め型のドラムである。なお、ドラム２２は横型のドラムでもよい。
水槽２１は、筐体６の底壁に立設されている図示しない支持脚によって弾性的に固定支持されている。水槽２１の開口は、内扉２０によって開閉自在に閉塞される。洗濯過程及び乾燥過程夫々の実行中には、水槽２１の開口は内扉２０によって閉塞されている。
【００３２】
内扉２０と外扉６０とは同時的に開閉可能である。従って、例えば外扉６０及び内扉２０夫々が開いている状態で、使用者が外扉６０を外側から押圧して外扉６０を閉じると、内扉２０と外扉６０とは連動して、水槽２１の開口と筐体６の投入口６１とを閉塞する。
水槽２１の底壁外面には、ドラム回転機構２３の電動モータ部が配設されており、水槽２１の底壁の中心位置を、ドラム回転機構２３の回転軸部が貫通している。ただし、ドラム回転機構２３の回転軸部によって貫通されている部分から、洗濯水又は空気が漏出／侵入する虞はない。
【００３３】
ドラム２２は、水槽２１に収容されており、開放された投入口６１と開放された水槽２１の開口とを通して投入された洗濯物Ｌ，Ｌ，…を収容する。
ドラム２２の周壁には、洗濯水及び空気夫々が容易に通過可能な複数個の貫通孔２２０，２２０，…が形成されている。このため、ドラム２２の内外への洗濯水及び空気夫々の出入りは自在である。
ドラム２２の底壁の中心位置には、ドラム回転機構２３の回転軸部の先端部分が連結されている。
給水部５１は、給水弁５１１、給水管５１２、及び給水口５１３を備える。
給水口５１３は、後述する冷却ダクト３２の中途に設けられており、常に開放されている。
【００３４】
給水口５１３には、給水管５１２の一端部が連結されており、給水管５１２の他端部は筐体６の外部で、図示しない上水道の水道管に接続されている。また、給水管５１２の中途には、給水弁５１１が配されている。
給水弁５１１は、通常は閉鎖されているが、洗濯過程の給水時と、乾燥過程の実施中には開放される。
このため、洗濯過程の給水時には、水道管から給水管５１２を経て、水槽２１へ洗濯水が供給される。
排水部５２は、排水口５２０、排水弁５２１、及び排水管５２２を備える。
排水口５２０は、水槽２１の周壁最下部に形成されており、常に開放されている。
【００３５】
排水口５２０には、排水管５２２の一端部が連結されており、排水管５２２の他端部は筐体６の外部へ突出している。また、排水管５２２の中途には、排水弁５２１が配されている。
排水弁５２１は、通常は閉鎖されているが、洗濯過程の排水時と、乾燥過程の実施中には開放される。
このため、洗濯過程の実施中には、水槽２１に洗濯水が貯留され、洗濯過程の終了後の排水時には、水槽２１に貯留されていた洗濯水が、排水管５２２を通して機外（例えば下水道）へ排出される。
【００３６】
洗濯過程及び乾燥過程夫々を実施する場合には、ドラム回転機構２３がオンにされる。このとき、ドラム２２は周方向に回転し、ドラム２２に収容されている洗濯物Ｌ，Ｌ，…は攪拌される。
循環路３は、ドラム２２から空気を吸い出し、吸い出した空気を循環させてドラム２２へ吹き入れるためのものである。具体的には、循環路３は、吸出口３０、連結ダクト３１、冷却ダクト３２、連通ダクト３３、通風ダクト３４、及び吹入口３５を、循環路３を通過する空気の上流側から下流側へこの順に有する。ただし、吹入口３５は、第１の吹入口３５１、第２の吹入口３５２、第３の吹入口３５３、及び第４の吹入口３５４の総称である。
【００３７】
吸出口３０は、水槽２１の底壁下部に形成されており、吸出口３０は、常に開放されている。
連結ダクト３１は、中途が蛇腹状になしてあり、水槽２１の吸出口３０と、冷却ダクト３２の上流側開口とを連結している。連結ダクト３１の蛇腹状の部分は、ドラム２２の回転に伴って発生する水槽２１の振動を減衰させる。従って、この振動が連結ダクト３１の下流側の各部（例えば冷却ダクト３２）へ伝播することが抑制される。
冷却ダクト３２は合成樹脂製であり、縦姿勢に配されている。
【００３８】
冷却ダクト３２は、水冷式の空気除湿機能を有する。乾燥過程の実施中には、給水口５１３から冷却ダクト３２へ、１分間に数百ｃｃの水道水が供給される。供給された水道水は、上側から下側へ流れ落ちつつ、冷却ダクト３２を通過する空気に接触する。水道水と接触した空気は冷却され、過飽和状態となるので空気中の水分が凝縮し結露して水に戻る（即ち除湿）。この結果、冷却ダクト３２を通過する空気は、低温低湿状態となる。
冷却ダクト３２の上流側開口（即ち下側開口）に到達した水道水は、連結ダクト３１、、吸出口３０、排水口５２０、及び排水管５２２を通過して、機外へ排出される。
【００３９】
連通ダクト３３は、合成ゴム製であって、中途が蛇腹状になしてある。冷却ダクト３２の下流側は筐体６の天壁６ａに向けて開口しており、通風ダクト３４の上流側は後壁６ｃに向けて開口しているため、連通ダクト３３は、Ｌ字状に湾曲した状態で、冷却ダクト３２の下流側開口と、通風ダクト３４の上流側開口とを連結する。この結果、冷却ダクト３２と通風ダクト３４とが連通される。
【００４０】
連通ダクト３３の蛇腹状の部分は、ドラム２２の回転に伴う水槽２１の振動が冷却ダクト３２まで伝播した場合に、伝播した振動を減衰させる。従って、この振動が連通ダクト３３の下流側の各部（例えば送風機４１）へ伝播することが抑制される。仮に、この振動が、高速回転している送風機４１へ伝播した場合、送風機４１が異常回転してしまう虞がある。
通風ダクト３４は、筐体６の天壁６ａ近傍に配管されている。通風ダクト３４には、集塵フィルタ４０、送風機４１、及び加熱部４２が、上流側から下流側へこの順に配されている。通風ダクト３４の下流側開口は、吹入口３５の上流側（即ち基端側）開口に連結されている。
【００４１】
集塵フィルタ４０は、自身を通過する空気を濾過する。この結果、集塵フィルタ４０には、空気に含まれていた異物が付着する。この異物は、例えば洗濯物Ｌ，Ｌ，…から生じた糸屑及び綿埃等である。
天壁６ａには図示しない開閉扉が設けてあり、開閉扉を開けた状態で、異物が付着した集塵フィルタ４０が通風ダクト３４から取り外され、その後、新品又は清掃後の集塵フィルタ４０が通風ダクト３４に取り付けられてから、開閉扉が閉められる。なお、開閉扉を設けずに、集塵フィルタ４０を直接的に取り外し可能にしてもよい。
【００４２】
送風機４１は、通風ダクト３４及び天壁６ａの間に配されているファンモータと、通風ダクト３４の内部に配されているファンとを備え、ファンモータに給電されることによってファンが回転する。このような送風機４１は、通風ダクト３４の内部にて、自身の上流側から空気を吸い込み、自身の下流側へ吹き出させることによって、空気を送風する。
加熱部４２は、高温を発生させる電熱器（例えばシーズヒータ）を有し、電熱器は、通風ダクト３４の内部に配されている。加熱部４２がオンである場合、電熱器に接触した空気は加熱される。この結果、低温低湿の空気は高温低湿状態となる。一方、加熱部４２がオフである場合、電熱器に接触しても、低温低湿の空気は加熱されず、低温低湿状態のままである。
【００４３】
吹入口３５は、水槽２１の開口上縁部に形成されており、吹入口３５の下流側（即ち先端側）は、ドラム２２の内部に向けて開口している。吹入口３５には、その姿勢が変更可能な風向板４４が配されている。
更に詳細には、水槽２１の開口上縁部には、第１の吹入口３５１、第２の吹入口３５２、第３の吹入口３５３、及び第４の吹入口３５４が周方向に適長離隔配置されて形成されており、第１の吹入口３５１、第２の吹入口３５２、第３の吹入口３５３、及び第４の吹入口３５４には、第１の風向板４４１、第２の風向板４４２、第３の風向板４４３、及び第４の風向板４４４が一対一対応で配されている。ただし、図３では、図の見易さを優先して、吹入口３５の外部に風向板４４を図示している。
【００４４】
風向板４４は、例えば一辺部に沿う回転軸を有する矩形板状になしてあり、風向板４４の回転軸は、吹入口３５の内壁に設けられた図示しない軸受によって回転可能に支持されている。そして、風向板４４の回転軸が回動することによって、回転軸を中心に風向板４４が揺動するため、風向板４４の姿勢が変更される。また、風向板４４の回転軸が回転停止した場合には、風向板４４の姿勢は維持される。
本実施の形態では、風向板４４の姿勢を、鉛直方向に対する風向板４４の傾斜角度で表わす。
【００４５】
吹入口３５の近傍には、駆動部４３が配されている。駆動部４３は、電動モータを用いてなり、駆動部４３の電動モータのオン／オフに伴い、風向板４４の回転軸が回転／回転停止するように構成されている。つまり、オン状態の駆動部４３は、風向板４４の傾斜角度を変更し、オフ状態の駆動部４３は、風向板４４の傾斜角度を維持する。
なお、駆動部４３は、オン状態で電動モータの出力軸を回転させている場合には風向板４４の傾斜角度を変更し、オン状態で電動モータの出力軸の回転を停止させている場合には風向板４４の傾斜角度を維持する構成でもよい。この場合、駆動部４３がオフにされると、電動モータの出力軸がフリーになり、風向板４４が自重で初期角度の姿勢に戻る構成でもよい。
【００４６】
本実施の形態では、第１の駆動部４３１、第２の駆動部４３２、第３の駆動部４３３、及び第４の駆動部４３４の出力が、第１の風向板４４１、第２の風向板４４２、第３の風向板４４３、及び第４の風向板４４４に一対一対応に伝達されることによって、風向板４４の傾斜角度が変更される。なお、１個の駆動部４３の出力を分配したものが、複数枚の風向板４４に伝達される構成でもよい。
【００４７】
送風機４１が送風することによって、貫通孔２２０，２２０，…及び吸出口３０を通してドラム２２から空気が吸い出され、吸い出された空気は、連結ダクト３１、冷却ダクト３２、連通ダクト３３、及び通風ダクト３４をこの順に通過した後、吹入口３５を通ってドラム２２へ吹き入れられる。このとき、ドラム２２へ吹き入れられる吹入空気の風向きは、風向板４４によって規定される。
吸出口３０の近傍には、ドラム２２から吸い出された空気の温度を検出する吸出温度検出部１２が配されている。また、吹入口３５の近傍には、吹入空気の温度を検出する吹入温度検出部１１が配されている。
【００４８】
制御部１０は、洗濯乾燥機１の制御中枢であり、図示しないＲＡＭを作業領域として用い、図示しないＲＯＭに記憶されたコンピュータプログラム及びデータに従って、洗濯乾燥機１の各部を制御し、各種処理を実行する。
制御部１０には、吹入温度検出部１１及び吸出温度検出部１２夫々の検出結果が与えられる。
また、制御部１０は、ドラム回転機構２３、送風機４１、及び加熱部４２のオン／オフを制御する。更に、制御部１０は、駆動部４３のオン／オフを制御することによって、風向板４４の傾斜角度を変更又は維持させる。更にまた、制御部１０は、給水弁５１１及び排水弁５２１夫々の開閉を制御する。
【００４９】
図５は、洗濯乾燥機１にて吹入空気の風向きが変化する場合を示す説明図である。
図６は、洗濯乾燥機１にて吹入空気の風向きがドラム２２の底壁側向きで一定である場合を示す説明図である。
図７は、洗濯乾燥機１にて吹入空気の風向きがドラム２２の開口側向きで一定である場合を示す説明図である。
【００５０】
図５〜図７には、ドラム２２、風向板４４、及び洗濯物Ｌ，Ｌ，…が図示されている。また、図５〜図７に示す白抜矢符は、吹入空気の風向きを表わしている。更に詳細には、図中実線で示された風向板４４によって規定される吹入空気の風向きは、実線の白抜矢符で示されている。同様に、図中破線（又は二点鎖線）で示された風向板４４によって規定される吹入空気の風向きは、破線（又は二点鎖線）の白抜矢符で示されている。
本実施の形態では、制御部１０が、図５に示すように風向板４４の傾斜角度を図中の矢符方向に連続的に変更させる場合、吹入空気の風向きは、ドラム２２の底壁側及びドラム２２の開口側に交互に向く。
【００５１】
一方、制御部１０が、風向板４４の傾斜角度を維持させる場合、吹入空気の風向きは、図６に示すように、ドラム２２の軸長方向中央部よりもドラム２２の底壁側に向くか、又は、図７に示すように、ドラム２２の軸長方向中央部よりもドラム２２の開口側に向く。
以下では、図６に示す風向板４４の傾斜角度を、底壁側維持角度といい、図７に示す風向板４４の傾斜角度を、開口側維持角度という。つまり、図５に示す風向板４４の傾斜角度は、底壁側維持角度と開口側維持角度との間で連続的に変更される。
また、本実施の形態では、風向板４４の初期角度は、図７に示す開口側維持角度とする。
【００５２】
更に、本実施の形態では、風向板４４の傾斜角度が開口側維持角度から底壁側維持角度を経て再び開口側維持角度へ戻るまでの１周期（以下、揺動周期という）を１６秒とする。
次に、洗濯乾燥機１で実施される乾燥過程について説明する。
本実施の形態においては、乾燥過程を、乾燥初期段階、乾燥中期段階、乾燥終期段階、仕上げ段階、及び冷却段階の５段階に分ける。
乾燥初期段階、乾燥中期段階、乾燥終期段階、及び仕上げ段階では、送風機４１及び加熱部４２がオンにされる。このとき、高温低湿の空気が洗濯物Ｌ，Ｌ，…に吹き付けられるため、洗濯物Ｌ，Ｌ，…の温度が上昇する。この結果、洗濯物Ｌ，Ｌ，…からの水分の蒸発が促進される。
【００５３】
しかしながら、洗濯物Ｌ，Ｌ，…が高温のままでは、使用者がドラム２２から洗濯物Ｌ，Ｌ，…を取り出すときに、火傷する虞がある。
そこで、冷却段階では、送風機４１がオンにされたまま、加熱部４２がオフにされる。このとき、低温低湿の空気が洗濯物Ｌ，Ｌ，…に吹き付けられるため、洗濯物Ｌ，Ｌ，…の温度が低下する。
次に、各段階における風向板４４の動作について説明する。
乾燥初期段階は、洗濯過程の実施直後の段階であるため、洗濯物Ｌ，Ｌ，…の温度は非常に低い。従って、乾燥初期段階では、洗濯物Ｌ，Ｌ，…の温度を全体的に上昇させることが望ましい。
【００５４】
そこで、風向板４４の傾斜角度は、図５に示すように連続的に変更される。この結果、高温低湿の空気が、風向きを変化させながら、ドラム２２に収容されている全ての洗濯物Ｌ，Ｌ，…に満遍なく吹き付けられる。従って、ドラム２２の開口側に位置している洗濯物Ｌ，Ｌ，…（以下、開口側の洗濯物Ｌ，Ｌ，…という）の温度も、ドラム２２の底壁側に位置している洗濯物Ｌ，Ｌ，…（以下、底壁側の洗濯物Ｌ，Ｌ，…という）の温度も、ムラなく上昇する。
【００５５】
乾燥中期段階における風向板４４の傾斜角度は、図６に示すように底壁側維持角度で維持される。この結果、吹入空気の風向きはドラム２２の底壁側向きで一定になるため、高温低湿の空気は、底壁側の洗濯物Ｌ，Ｌ，…に集中的に吹き付けられる。従って、底壁側の洗濯物Ｌ，Ｌ，…が優先的に乾燥される。開口側の洗濯物Ｌ，Ｌ，…には、底壁側の洗濯物Ｌ，Ｌ，…に接触してから拡散した空気が吹き付けられるため、開口側の洗濯物Ｌ，Ｌ，…も、適宜に乾燥される。
底壁側の洗濯物Ｌ，Ｌ，…は、乾燥中期段階にて、ほとんど乾燥する。
【００５６】
乾燥終期段階における風向板４４の傾斜角度は、図７に示すように開口側維持角度で維持される。この結果、吹入空気の風向きはドラム２２の開口側向きで一定になるため、高温低湿の空気は、開口側の洗濯物Ｌ，Ｌ，…に集中的に吹き付けられる。従って、開口側の洗濯物Ｌ，Ｌ，…が優先的に乾燥される。底壁側の洗濯物Ｌ，Ｌ，…には、開口側の洗濯物Ｌ，Ｌ，…に接触してから拡散した空気が吹き付けられるため、底壁側の洗濯物Ｌ，Ｌ，…も、適宜に乾燥される。
開口側の洗濯物Ｌ，Ｌ，…は、乾燥終期段階にて、夫々ほとんど乾燥する。
【００５７】
ところで、ドラム２２は斜め型のドラムであるため、底壁側の洗濯物Ｌ，Ｌ，…の量は、開口側の洗濯物Ｌ，Ｌ，…の量よりも多いと考えられる。つまり、乾燥中期段階及び乾燥終期段階では、乾燥し難い洗濯物Ｌ，Ｌ，…から先に乾燥させることによって、洗濯物Ｌ，Ｌ，…の乾燥に要する時間を短縮している。
【００５８】
仕上げ段階における風向板４４の傾斜角度は、図５に示すように連続的に変更される。何故ならば、乾燥中期段階及び乾燥終期段階では、吹入空気の風向きは一定であるため、乾燥ムラが生じている（即ち、十分に乾燥している洗濯物Ｌ，Ｌ，…と、乾燥不足の洗濯物Ｌ，Ｌ，…とが混在している）かもしれないからである。仕上げ段階では、高温低湿の空気が全ての洗濯物Ｌ，Ｌ，…に満遍なく吹き付けられるため、乾燥中期段階及び乾燥終期段階でも十分に乾燥されていなかった洗濯物Ｌ，Ｌ，…が、完全に乾燥する。
【００５９】
冷却段階における風向板４４の傾斜角度は、図５に示すように連続的に変更される。この結果、低温低湿の空気が、風向きを変化させながら、ドラム２２に収容されている全ての洗濯物Ｌ，Ｌ，…に満遍なく吹き付けられる。従って、洗濯物Ｌ，Ｌ，…の温度が、ムラなく下降する。
【００６０】
風向板４４の傾斜角度を、図５に示すように連続的に変更させる場合には、第１の風向板４４１、第２の風向板４４２、第３の風向板４４３、及び第４の風向板４４４夫々の傾斜角度が互いに異なる方が望ましい。何故ならば、第１の風向板４４１、第２の風向板４４２、第３の風向板４４３、及び第４の風向板４４４夫々の傾斜角度が互いに異なれば、第１の吹入口３５１、第２の吹入口３５２、第３の吹入口３５３、及び第４の吹入口３５４夫々からの吹入空気が、前後方向の異なる場所に吹き付けるからである。つまり、吹入口３５からの吹入空気が、更に満遍なく洗濯物Ｌ，Ｌ，…に吹き付けられるからである。
【００６１】
図８は、洗濯乾燥機１で実行される乾燥処理の手順を示すフローチャートである。洗濯過程が終了し、水槽２１からの排水が完了した後で、制御部１０は、乾燥処理を実行する。
制御部１０は、乾燥過程を開始する（Ｓ１１）。Ｓ１１における制御部１０は、ドラム回転機構２３、送風機４１、及び加熱部４２夫々をオンにし、また、給水弁５１１及び排水弁５２１夫々を開放させる。
【００６２】
この結果、ドラム２２が回転するため、ドラム２２に収容されている洗濯物Ｌ，Ｌ，…は攪拌される（図２参照）。また、高温低湿の空気がドラム２２へ吹き入れられて洗濯物Ｌ，Ｌ，…に接触する。このとき、吹き入れられた空気は高温高湿の空気になる。そして、高温高湿の空気がドラム２２から空気が吸い出される。吸い出された空気は、冷却ダクト３２で低温低湿の空気になり、次いで、加熱部４２で高温高湿の空気になる。更に、この高温低湿の空気が、再びドラム２２へ吹き入れられる。
次に、制御部１０は、乾燥初期段階へ移行すべく、乾燥初期駆動制御処理（次の図９参照）を実行する（Ｓ１２）。
【００６３】
図９は、洗濯乾燥機１で実行される乾燥初期駆動制御処理手順の詳細を示すフローチャートである。
制御部１０は、まず、変数ｊに“１”をセットする（Ｓ３１）。
次に、制御部１０は、第ｊの駆動部をオンにする（Ｓ３２）。例えばｊ＝１である場合、Ｓ３２における制御部１０は、第１の駆動部４３１をオンにする。
Ｓ３２の処理と同時的に、制御部１０は、第ｊの駆動部に関する経過時間（以下、第ｊの経過時間という）の計時を開始する（Ｓ３３）。Ｓ３３における制御部１０は、図示しない計時部を用いて第ｊの経過時間を計時する。なお、制御部１０は、制御部１０自身に入力されるクロックの個数を計数することによって、第ｊの経過時間を計時してもよい。
【００６４】
Ｓ３３の処理終了後、制御部１０は、第ｊの経過時間が所与の所定時間（本実施の形態では２秒）に達したか否かを判定する（Ｓ３４）。Ｓ３４で用いられる所定時間は、第１の風向板４４１、第２の風向板４４２、第３の風向板４４３、及び第４の風向板４４４夫々の傾斜角度を互いに異ならせるために必要な適宜の時間間隔である。
所定時間が経過していない場合（Ｓ３４でＮＯ）、制御部１０は、Ｓ３４の処理を繰り返し実行する。
【００６５】
所定時間が経過した場合（Ｓ３４でＹＥＳ）、制御部１０は、変数ｊが“４”以上であるか否かを判定し（Ｓ３５）、ｊ＜４であれば（Ｓ３５でＮＯ）、変数ｊを“１”インクリメントして（Ｓ３６）、処理をＳ３２へ戻す。
ｊ≧４であれば（Ｓ３５でＹＥＳ）、制御部１０は、乾燥初期駆動制御処理を終了して、図８に示す乾燥処理へ戻る。
図９に示す乾燥初期駆動制御処理を実行する制御部１０は、第１の制御手段として機能する。乾燥初期駆動制御処理が実行されることによって、第１の風向板４４１、第２の風向板４４２、第３の風向板４４３、及び第４の風向板４４４は、いわばバラバラに揺動する。
【００６６】
第１〜第４の経過時間夫々の計時は継続される。ただし、第１〜第４の経過時間夫々は、計時結果が揺動周期に等しくなった場合に、０秒にリセットされる。このような第ｊの経過時間は、第ｊの風向板の傾斜角度に対応する。即ち、第ｊの経過時間が０秒（又は８秒）であれば、第ｊの風向板の傾斜角度は開口側維持角度（又は底壁側維持角度）である。また、第ｊの経過時間が０秒〜８秒の間（又は８秒〜１６秒の間）であれば、第ｊの風向板は傾斜角度が開口側維持角度から底壁側維持角度へ（又は底壁側維持角度から開口側維持角度）へ変更されている最中である。従って、洗濯乾燥機１は、風向板４４の傾斜角度を検出する手段を備えている必要がない。
【００６７】
図８に示すように、Ｓ１２の処理終了後、制御部１０は、乾燥初期終了判定処理（次の図１０参照）を実行する（Ｓ１３）。
図１０は、洗濯乾燥機１で実行される乾燥初期終了判定処理手順の詳細を示すフローチャートである。乾燥初期終了判定処理では、乾燥初期段階を終了すべき条件が満たされたか否かが判定される。
制御部１０は、吹入温度検出部１１の検出結果である吹入温度αを取得し（Ｓ５１）、吸出温度検出部１２の検出結果である吸出温度βを取得する（Ｓ５２）。
【００６８】
次に、制御部１０は、吹入温度検出部１１の検出結果αと吸出温度検出部１２の検出結果βとの差異｛α−β｝を演算し（Ｓ５３）、演算結果が所定温度Ｈ1 以上であるか否かを判定する（Ｓ５４）。
洗濯物Ｌ，Ｌ，…の温度が低い場合、洗濯物Ｌ，Ｌ，…に接触した高温低湿の空気の温度は大幅に低下するが、洗濯物Ｌ，Ｌ，…の温度が十分に上昇していれば、洗濯物Ｌ，Ｌ，…に接触した空気の温度低下は緩和される。ゆえに、｛α−β｝≧Ｈ1 とは、洗濯物Ｌ，Ｌ，…の温度が十分に上昇したこと、即ち、乾燥初期段階を終了すべき条件が満たされたことを示す。そして、この条件が満たされるまでは、乾燥初期段階が継続される（図５参照）。
【００６９】
洗濯物Ｌ，Ｌ，…の温度を上昇させている間も洗濯物Ｌ，Ｌ，…は乾燥する。このため、Ｓ５１〜Ｓ５３の処理に相当する処理を実行する制御部１０は、洗濯物Ｌ，Ｌ，…の乾燥度に対応する物理量を間接的に検出する検出手段として機能する。
｛α−β｝＜Ｈ1 である場合（Ｓ５４でＮＯ）、制御部１０は、処理をＳ５１へ戻す。
｛α−β｝≧Ｈ1 である場合（Ｓ５４でＹＥＳ）、制御部１０は、乾燥初期終了判定処理を終了して、図８に示す乾燥処理へ戻る。
Ｓ１３の処理終了後、制御部１０は、乾燥中期段階へ移行すべく、乾燥中期駆動制御処理（次の図１１参照）を実行する（Ｓ１４）。
【００７０】
図１１は、洗濯乾燥機１で実行される乾燥中期駆動制御処理手順の詳細を示すフローチャートである。
制御部１０は、まず、変数ｊに“１”をセットする（Ｓ７１）。
次に、制御部１０は、第ｊの経過時間が８秒（即ち揺動周期の半分）であるか否かを判定する（Ｓ７２）
第ｊの経過時間が８秒未満であるか、又は８秒を超過している場合（Ｓ７２でＮＯ）、制御部１０は、Ｓ７２の処理を繰り返し実行する。
第ｊの経過時間が８秒である場合（Ｓ７２でＹＥＳ）、制御部１０は、第ｊの駆動部をオフにする（Ｓ７３）。この結果、第ｊの風向板の傾斜角度が底壁側維持角度で維持される。
【００７１】
次いで、制御部１０は、第ｊの経過時間の計時を終了し（Ｓ７４）、変数ｊが“４”以上であるか否かを判定する（Ｓ７５）。
ｊ＜４であれば（Ｓ７５でＮＯ）、変数ｊを“１”インクリメントして（Ｓ７６）、処理をＳ７２へ戻す。
ｊ≧４であれば（Ｓ７５でＹＥＳ）、制御部１０は、乾燥中期駆動制御処理を終了して、図８に示す乾燥処理へ戻る。
図１１に示す乾燥中期駆動制御処理を実行する制御部１０は、第２の制御手段として機能する。
【００７２】
図８に示すＳ１４の処理終了後、制御部１０は、乾燥中期終了判定処理を実行する（Ｓ１５）。Ｓ１５の乾燥中期終了判定処理では、Ｓ１３の乾燥初期終了判定処理と略同様にして、乾燥中期段階を終了すべき条件が満たされたか否かが判定される。そして、この条件が満たされるまでは、乾燥中期段階が継続される（図６参照）。
ただし、Ｓ１５の乾燥中期終了判定処理では、図１０に示す乾燥初期終了判定処理のＳ５４の処理に相当する処理において、所定温度Ｈ1 に替えて、所定温度Ｈ1 よりも高い所定温度Ｈ2 が用いられる。
【００７３】
洗濯物Ｌ，Ｌ，…が湿っている場合、洗濯物Ｌ，Ｌ，…に接触した空気から洗濯物Ｌ，Ｌ，…へ水分を蒸発させるための熱量が奪われるため、洗濯物Ｌ，Ｌ，…が乾いている場合よりも、空気の温度が低下する。このため、洗濯物Ｌ，Ｌ，…の乾燥度が低いほど、ドラム２２から吸い出される吸出空気の温度は、吹入空気の温度よりも低下する。ゆえに、差異｛α−β｝は洗濯物Ｌ，Ｌ，…の乾燥度に対応し、｛α−β｝≧Ｈ2 とは、底壁側の洗濯物Ｌ，Ｌ，…がほとんど乾燥したこと、即ち、乾燥中期段階を終了すべき条件が満たされたことを示す。
このように、図１０に示すＳ５１〜Ｓ５３の処理に相当する処理を実行する制御部１０は、洗濯物Ｌ，Ｌ，…の乾燥度に対応する物理量を間接的に検出する検出手段として機能する。
【００７４】
図８に示すＳ１５の処理終了後、制御部１０は、乾燥終期段階へ移行すべく、乾燥終期駆動制御処理（次の図１２参照）を実行する（Ｓ１６）。
図１２は、洗濯乾燥機１で実行される乾燥終期駆動制御処理手順の詳細を示すフローチャートである。
まず制御部１０は、駆動部４３をオンにし（Ｓ９１）、計時を開始する（Ｓ９２）。このとき、風向板４４が一斉に揺動する。
次に、制御部１０は、経過時間が８秒（即ち揺動周期の半分）であるか否かを判定する（Ｓ９３）。
経過時間が８秒未満であるか、又は８秒を超過している場合（Ｓ９３でＮＯ）、制御部１０は、Ｓ９３の処理を繰り返し実行する。
【００７５】
経過時間が８秒である場合（Ｓ９３でＹＥＳ）、制御部１０は、駆動部４４をオフにする（Ｓ９４）。この結果、風向板４４の傾斜角度が開口側維持角度で維持される。
Ｓ９４の終了後、制御部１０は、計時を終了する（Ｓ９５）。次いで、制御部１０は、乾燥終期駆動制御処理を終了して、図８に示す乾燥処理へ戻る。
図１２に示す乾燥終期駆動制御処理を実行する制御部１０は、第３の制御手段として機能する。
【００７６】
図８に示すＳ１６の処理終了後、制御部１０は、乾燥終期終了判定処理を実行する（Ｓ１７）。Ｓ１７の乾燥終期終了判定処理では、Ｓ１３の乾燥初期終了判定処理と略同様にして、乾燥終期段階を終了すべき条件が満たされたか否かが判定される。そして、この条件が満たされるまでは、乾燥終期段階が継続される（図７参照）。
ただし、Ｓ１７の乾燥終期終了判定処理では、図１０に示す乾燥初期終了判定処理のＳ５４の処理に相当する処理において、所定温度Ｈ1 に替えて、所定温度Ｈ2 よりも高い所定温度Ｈ3 が用いられる。
【００７７】
｛α−β｝≧Ｈ3 とは、底壁側の洗濯物Ｌ，Ｌ，…は勿論、開口側の洗濯物Ｌ，Ｌ，…もほとんど乾燥したこと、即ち、乾燥終期段階を終了すべき条件が満たされたことを示す。
Ｓ１７の処理終了後、制御部１０は、仕上げ段階へ移行すべく、図９に示す乾燥初期駆動制御処理を実行する（Ｓ１８）。何故ならば、仕上げ段階における風向板４４の動作は、乾燥初期段階における風向板４４の動作と同様だからである。
【００７８】
Ｓ１８の処理終了後、制御部１０は、仕上げ終了判定処理を実行する（Ｓ１９）。Ｓ１９の仕上げ終了判定処理では、Ｓ１３の乾燥初期終了判定処理と略同様にして、仕上げ段階を終了すべき条件が満たされたか否かが判定される。そして、この条件が満たされるまでは、仕上げ段階が継続される（図５参照）。
ただし、Ｓ１９の仕上げ終了判定処理では、図１０に示す乾燥初期終了判定処理のＳ５４に相当する処理において、所定温度Ｈ1 に替えて、所定温度Ｈ3 よりも高い所定温度Ｈ4 が用いられる。
｛α−β｝≧Ｈ4 とは、ドラムに収容されている洗濯物Ｌ，Ｌ，…がムラなく乾燥し終えたこと、即ち、仕上げ段階を終了すべき条件が満たされたことを示す。
【００７９】
Ｓ１９の処理終了後、制御部１０は、冷却段階へ移行すべく、加熱部４２をオフにする（Ｓ２０）。ここでは、制御部１０は、駆動部４３に対する制御を行なわない。何故ならば、冷却段階における風向板４４の動作は、乾燥初期段階における風向板４４の動作と同様だからである。
Ｓ２０の処理終了後、制御部１０は、吸出温度検出部１２の検出結果である吸出温度βを取得し（Ｓ２１）、吸出温度βが所定温度Ｈ5 以下であるか否かを判定する（Ｓ２２）。
β≦Ｈ5 とは、ドラムに収容されている洗濯物Ｌ，Ｌ，…の温度が十分に低下したこと、即ち、冷却段階を終了すべき条件が満たされたことを示す。そして、この条件が満たされるまでは、冷却段階が継続される（図５参照）。
【００８０】
従って、制御部１０は、β＞Ｈ5 の場合（Ｓ２２でＮＯ）、処理をＳ２１へ戻し、β≦Ｈ5 の場合（Ｓ２２でＹＥＳ）、処理を次のＳ２３へ移す。
そして、制御部１０は、Ｓ１４の乾燥中期駆動制御処理と略同様の初期角度制御処理を実行する（Ｓ２３）。
ただし、Ｓ２３の初期角度制御処理では、図１１に示す乾燥中期駆動制御処理のＳ７２に相当する処理において、第ｊの経過時間が、１６秒（即ち揺動周期）であるか否かを判定する。
Ｓ２３の初期角度制御処理が実行されることによって、風向板４４の傾斜角度は、開口側維持角度（即ち初期角度）に戻る。
【００８１】
Ｓ２３の処理終了後、制御部１０は、乾燥過程を終了する（Ｓ２４）。Ｓ２４における制御部１０は、ドラム回転機構２３及び送風機４１夫々をオフにし、また、給水弁５１１及び排水弁５２１夫々を閉鎖させる。
Ｓ２４の処理終了後、制御部１０は、乾燥処理を終了する。
この後、使用者は、外扉６０及び内扉２０を開けて、ドラム２２の内部から、洗濯物Ｌ，Ｌ，…を取り出す。
【００８２】
なお、各段階を終了すべき条件は、空気の温度に基づくものに限定されない。例えば、乾燥中期終了判定処理を実行する制御部１０は、乾燥中期段階への移行から所与の制御継続時間が経過した場合に、乾燥中期段階を終了すべき条件が満たされたと判定してもよい。このとき、計時部は、洗濯物Ｌ，Ｌ，…の乾燥度に対応する物理量を直接的に検出する検出手段として機能する。或いは、制御部１０は、ドラム２２内の湿度を検出する湿度センサの検出結果が所与の所定湿度以下に達した場合に、乾燥中期段階を終了すべき条件が満たされたと判定してもよい。このとき、湿度センサは、洗濯物Ｌ，Ｌ，…の乾燥度に対応する物理量を直接的に検出する検出手段として機能する。
【００８３】
以上のような洗濯乾燥機１は、乾燥過程の各段階に応じて、吹入口３５に配されている風向板４４の姿勢を変更する。この結果、洗濯物Ｌ，Ｌ，…の乾燥度に応じて、吹入空気の風向きを変化させることができるため、洗濯物Ｌ，Ｌ，…を短時間でムラなく乾燥させることができる。
なお、洗濯乾燥機１は、吹入口３５を１個だけ備えている構成でもよい。また、洗濯乾燥機１は、１個の吹入口３５に、複数枚の風向板４４が配されている構成でもよい。
更に、洗濯乾燥機１は、ドラム２２の底壁側から空気を吹き入れる構成でもよく、ドラム２２の開口側及び底壁側の一方又は両方から選択的に吹き入れる構成でもよい。
【００８４】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。例えば、本発明の実施の形態は、斜め型ドラム式洗濯乾燥機に限定されず、横型ドラム式であってもよく、縦型ドラム式であってもよい。また、本発明の実施の形態は、洗濯乾燥機に限定されず、洗濯機能を有していない乾燥機であってもよい。
また、本発明の効果がある限りにおいて、洗濯乾燥機１に、実施の形態に開示されていない構成要素が含まれていてもよい。
【符号の説明】
【００８５】
１    洗濯乾燥機（乾燥機）
１０  制御部（検出手段，第１〜第３の制御手段）
２    収容部
２２  ドラム（斜め型のドラム）
３    循環路
３５  吹入口
４３  駆動部
４４  風向板
Ｌ    洗濯物
【図１】
2011239990.tif 000003
【図２】
2011239990.tif 000004
【図３】
2011239990.tif 000005
【図４】
2011239990.tif 000006
【図５】
2011239990.tif 000007
【図６】
2011239990.tif 000008
【図７】
2011239990.tif 000009
【図８】
2011239990.tif 000010
【図９】
2011239990.tif 000011
【図１０】
2011239990.tif 000012
【図１１】
2011239990.tif 000013
【図１２】
2011239990.tif 000014